(57)【特許請求の範囲】
【請求項１】
外周面の一部に外側セレーションを、先端部にスリワリを夫々形成したブラケット軸と、基端にブラケット軸と嵌合する支承孔を開口させると共に、この支承孔に垂直なスリットを形成したフォークアームと、このフォークアームの基端部に内蔵され、支承孔の中心軸方向に付勢されたクリック体と、外周に上記クリック体と係合する凹部を形成し、ブラケット軸と嵌合する装着孔を開口させると共に、この装着孔の開口端縁に上記外側セレーションと噛み合い係合可能な内側セレーションを形成したカム板と、フォークアームに関してブラケットと反対側におけるブラケット軸に摺動可能に嵌装され、ブラケット軸のスリワリと整合する部分に切欠部を形成した作動筒と、ブラケット軸の先端部をスリワリの幅方向に貫通する支持ピンと、作動筒の一方の切欠部を支持ピンと平行に貫通する作動ピンと、一端に操作端を、他端に係止端を夫々形成し、上記スリワリ及び作動筒の切欠部に跨がって摺動可能に収納されると共に、長穴を介して夫々支持ピン及び作動ピンの双方に支承されて、支持ピンの回りを回動可能に、かつ長手方向に移動可能に案内された制御レバーとを有し、カム板をフォークアームのスリットに挿入し、支承孔と装着孔とを整合させた状態で、これらをブラケット軸の軸線方向に摺動可能に案内すると共に、上記制御レバーの操作端を手前に引いて上下させることにより作動筒をブラケット軸に沿って移動させ、カム板の内側セレーションとブラケット軸の外側セレーションとがブラケット軸の軸線方向において整合したとき、制御レバーを係止端方向に押動し、係止端を作動筒の他方の切欠部に係合させるようにしたことを特徴とするドアクローザの停止角度調整機構。
【発明の詳細な説明】
【０００１】
【発明の属する技術分野】
この発明は、ドアクローザの停止角度調整機構（以下単に停止角度調整機構という）に係り、特に、ドライバ等の工具を使用せずに簡単にドアクローザの停止角度を調整することができる停止角度調整機構に関する。
【０００２】
【従来の技術】
ドアクローザの停止装置、すなわち、閉鎖運動中のドアクローザを一時的に停止させる装置は、例えば荷物を室内に搬入するとき、ドアを手で押えておかなくてもよいので便利である。
【０００３】
このドアクローザの停止装置は種々のものが提案されているが、簡単な構造で作動が確実なものとして、ドアクローザのリンク機構に組込まれたものがある。
【０００４】
この停止装置は、図１に示すように、ブラケット１を介して通常は図示しないドア枠に固定されるブラケット軸２に装着され、後述のクリックボールと係合する凹部３を形成したカム板４と、上記ブラケット軸２に回動可能に支承されるフォークアーム５の筒状に形成された基部Ａに収納され、ブラケット軸２方向に付勢された図示しないクリックボール等のクリック体とを有している。
【０００５】
そして、ドアクローザが閉鎖方向に作動し、ブラケット軸２に固定されたカム板４に対し、フォークアーム５がブラケット軸２の回りを相対的に回動してその基部Ａに内蔵されたクリックボールがカム板の凹部３と整合すると、クリックボールが凹部３に填り込んでドアクローザの閉鎖力に対抗してこれを停止させる。
【０００６】
この型式の停止装置は、図２に示すように、その停止角度位置調整機構を内蔵することができる。
【０００７】
すなわち、図２において符号６はブラケット１に固定されたブラケット軸２の基部において、その母線方向に形成された外側セレーションで、この外側セレーション６は、カム板４の装着孔７の開口端縁に形成された内側セレーション８と噛み合うことができる。
【０００８】
そして、上記のように形成されたカム板４は、フォークアーム５の基端に形成されたスリット９に水平方向に挿入され、その装着孔７をフォークアームの回動軸と同軸に整合した後、ブラケット軸２をフォークアーム５の基端の支承孔１１に挿入して内側及び外側セレーション８、６を適当な相対角度位置で噛み合わせる。
【０００９】
なお、上記のように構成された停止角度調整機構は、カラー１２、１２、支持盤１３及びカバー１４と共に止めねじ１５で一体的に結合される。
【００１０】
その為、止めねじ１５を緩めれば各構成部材は図２で上下方向に相対移動可能になるので、カム板４の内側セレーション８とブラケット軸の外側セレーション６との噛み合い係合を得ことができ、従ってこれらの相対角度位置を調整した後止めねじ１５を再度締結することにより停止角度の調整ができる。
【００１１】
【発明が解決しようとする課題】
上記のように構成され、図２に示すような停止角度調整機構は勿論所期の機能を発揮して実用されているが、角度調整の度毎にドライバー等の工具で止めねじ１５を緩める必要があり、その場で思いついての任意の停止角度調整ができない、という恨みが残る。
【００１２】
この発明は、ドライバー等の工具を必要とせず、手指で簡単に、かつ何時でもドアクローザの停止角度を調整できる停止角度調整機構を提供することを目的としている。
【００１３】
【課題を解決するための手段】
上記の目的を達成するため、請求項１に記載の発明は、外周面の一部に外側セレーションを、先端部にスリワリを夫々形成したブラケット軸と、基端にブラケット軸と嵌合する支承孔を開口させると共に、この支承孔に垂直なスリットを形成したフォークアームと、このフォークアームの基端部に内蔵され、支承孔の中心軸方向に付勢されたクリック体と、外周に上記クリック体と係合する凹部を形成し、ブラケット軸と嵌合する装着孔を開口させると共に、この装着孔の開口端縁に上記外側セレーションと噛み合い係合可能な内側セレーションを形成したカム板と、フォークアームに関してブラケットと反対側におけるブラケット軸に摺動可能に嵌装され、ブラケット軸のスリワリと整合する部分に切欠部を形成した作動筒と、ブラケット軸の先端部をスリワリの幅方向に貫通する支持ピンと、作動筒の一方の切欠部を支持ピンと平行に貫通する作動ピンと、一端に操作端を、他端に係止端を夫々形成し、上記スリワリ及び作動筒の切欠部に跨がって摺動可能に収納されると共に、長穴を介して夫々支持ピン及び作動ピンの双方に支承されて、支持ピンの回りを回動可能に、かつ長手方向に移動可能に案内された制御レバーとを有し、カム板をフォークアームのスリットに挿入し、支承孔と装着孔とを整合させた状態で、これらをブラケット軸の軸線方向に摺動可能に案内すると共に、上記制御レバーの操作端を手前に引いて上下させることにより作動筒をブラケット軸に沿って移動させ、カム板の内側セレーションとブラケット軸の外側セレーションとがブラケット軸の軸線方向において整合したとき、制御レバーを係止端方向に押動し、係止端を作動筒の他方の切欠部に係合させるようにしたことを特徴とする。
【００１４】
【発明の実施の形態】
以下この発明の実施例を図３乃至図５を参照して説明する。
図３及び図４において符号１は前記ブラケットを示し、このブラケット１の下面には、例えば溶接によりブラケット軸２が固設されている。
【００１５】
このブラケット軸２の外周面のほぼ中間部に外側セレーション６が形成されている。このセレーション６はブラケット軸２の母線方向に延在する多数の突条を円周方向に連設したものである。
【００１６】
また、ブラケット軸２の先端部（下端部）には、図３乃至図５に示すように、ブラケット軸２の中心軸を含んで一定の幅で切り欠かれ、スリワリ１６が形成されている。
【００１７】
上記のように構成されたブラケット軸２には、カム板４とフォークアーム５の基端とが、前者が後者のスリット９内に挿入され、かつ前者の装着孔７（図２参照）及び後者の支承孔１１（図２及び図３参照）を整合させた状態で、回動可能に、また摺動可能に嵌合している。
【００１８】
なお、図示の実施例においては、フォークアームの支承孔１１とブラケット軸２との間の摩擦トルクを減少させるため、ブラケット１と外側セレーション６との間におけるブラケット軸２に上部カラー１０が嵌装されているが、この上部カラー１０は本発明の必須の構成要素ではない。
【００１９】
一方、フォークアーム５に関してブラケット１と反対側（すなわち下方）におけるブラケット軸２には、図３及び図４に示すように、作動筒１７が摺動可能に嵌装されている。
【００２０】
この作動筒１７の上端部は小径に成形され、例えばテフロン樹脂等で構成された断面Ｌ字形の減摩カラー１８を介してフォークアーム５の支承孔１１に回動自在に嵌合している。
【００２１】
また、作動筒１７の上記スリワリ１６と整合する部分には、これと同幅に切り欠かれて切欠部１９、１９が形成されている。
【００２２】
なお、上記作動筒の切欠部１９、１９の内一方（図３及び図４で左方）の切欠部は、後述する制御レバーの操作端を収納するため、図５に示すように、その幅、すなわち上下方向の寸法が拡大されている。
【００２３】
また、図示の実施例においては、この作動筒１７ブラケット軸２との間の摩擦トルクを減少させるため、ブラケット軸２の下方に下部カラー２１が嵌装されているが、この下部カラー２１は本発明の必須の構成要素ではない。
【００２４】
一方、上記ブラケット軸２のスリワリ１６及び作動筒１７の一方の切欠部１９には、これらに跨がるようにして、ほぼ水平に延在する厚板状の制御レバー２２が摺動可能に嵌装されている。
【００２５】
図示の実施例では、この制御レバー２２の操作端部（図３乃至図５で左端部）には矩形の摘み２２ａが一体に結合されている。
【００２６】
また、制御レバー２２の中央部及び操作端部には、夫々制御レバーの長手方向に沿って延在する第１及び第２長孔２３、２４が開口しており、その内第１長孔２３には、ブラケット軸の先端部をスリワリ１６の幅方向に貫通する支持ピン２５が、第２長孔２４には、作動筒の一方の切欠部１９を支持ピン２５と平行に貫通する作動ピン２６が夫々係合している。
【００２７】
上記した構成により、制御レバー２２は支持ピン２５の回りを回動可能に支承されると共に、摘み２２ａを手指で操作して制御レバー２２を押し引きすれば、制御レバーはその長さ方向に少し（長孔２３、２４とピン２５、２６との間の遊動量）移動できる。
【００２８】
後述するように、クローザの停止角度を調整するときには摘み２２ａを手で摘んで制御レバー２２を回動させるが（図３参照）、このときには摘み２２ａを手前に引いて制御レバー２２の操作端を上下させるものとし、このとき制御レバー２２の係止端（図３で右端）が作動筒１７の内筒部内にあって作動筒とは干渉しないように、制御レバー２２の各部の寸法が設定されている。
【００２９】
また、図示の実施例では、常態、すなわちドアクローザの使用時には摘み２２ａを押上げると共に係止端方向に押動するが、このとき制御レバー２２の係止端が作動筒１７の他方の切欠部１９に係入してその底面に当接するように各部材各部の寸法が設定されている（図４参照）。
【００３０】
更にまた、図４に示すように、作動筒１７を制御レバー２２の操作により一杯に上昇させたとき、カム板４の内側セレーション８とブラケット軸２の外側セレーション６とがブラケット軸の軸線方向において整合するように各部の寸法が設定されている。
【００３１】
なお、図３及び図４において符号２７は皿ばねを示し、この皿ばねには図示しないスリットが放射状に形成されていて、大きな弾性変形をすることができるように構成されている。
【００３２】
上記のように構成されたこの発明の一実施例による停止角度調整機構は、常態、すなわちドアクローザの使用状態においては、図４に示すように、制御レバー２２の操作により作動筒１７が上昇している。
【００３３】
このとき、上記したように、ブラケット軸の外側セレーション６とカム板の内側セレーション８とがブラケト軸２の軸線方向において整合して相互に噛み合う。
【００３４】
したがって、カム板４はブラケット軸２回りの回動が拘束され、すなわちカム板４はブラケット軸２に固定された状態になるので、前記したように、フォークアーム５がブラケット軸２に対し所定の角度相対回動すると、フォークアーム５に内蔵された図示しないクリック体がカム板４の凹部３に填り込むので、ドアクローザはその回動角度で停止する。
【００３５】
なお、扉を強い力で閉鎖方向に押動すると、クリック体が凹部３を乗り越えてこれらの係合を解くので、以降ドアは閉鎖方向に回動する。
【００３６】
ドアの停止角度を変えるには、ブラケット軸２に対するカム板の凹部３の相対角度位置を変化させる。
【００３７】
そのためには、図４に示す常態から摘み２２ａを操作して図で左側に移動させ、次いで摘み２２ａを下降させる。
【００３８】
すると、図３に示すように、作動ピン２６が制御レバー２２によって下向きに押動され、作動筒１７が一体的に下降するので、皿ばね２７の弾力によってフォークアーム５が作動筒１７に従動して下降する。
【００３９】
その結果、ブラケット軸の外側セレーション６とカム板の内側セレーション８との係合が解け、カム板４が自由になるので、カム板４を所定の角度時計方向或いは反時計方向に回動させてブラケット軸２に対するカム板４の相対角度位置を再設定する。
【００４０】
カム板４の角度位置を再設定したら、図４に示すように、摘み２２ａを一杯に持上げた後これを制御レバーの係止端方向に押込む。
【００４１】
すると、外側セレーション６と内側セレーションとが新たな相対角度位置を保って再び噛み合い、新たな停止角度がこのようにして設定される。
【００４２】
同時に、制御レバー２２の係止端が作動筒１７の他方の切欠部１９に係合するので（図４参照）、作動筒１７は制御レバー２２を介してブラケット軸２に固定された支持ピン２５に係止されることになり、作動筒１７のブラケット軸２からの抜け出しが効果的に防止される。
【００４３】
なお、図示の実施例では、ブラケット１とフォークアーム５との間に皿ばね２７を弾装するものとし、この皿ばね２７の弾力により停止角度調整の時のフォークアーム５の移動を容易にしているが、この皿ばねが無くてもこの発明が成り立つことは自明であるから、この皿ばねはこの発明の必須の構成要素ではない。
【００４４】
【発明の効果】
以上の説明から明らかなように、この発明は、ブラケット軸に装着されたフォーアーム及びカム板を作動筒及び制御レバーの操作によりブラケット軸に沿って上下に移動させ、カム板の内側セレーション及びブラケット軸の外側セレーションを係脱できるようにし、内側及び外側セレーションが係合した状態を制御レバーにより安定に固定できるようにしたので、ドアクローザの停止角度位置を工具無しで任意に調整できる、という所期の目的を達成する。
【図面の簡単な説明】
【図１】停止装置を備えた従来のドアクローザのリンク機構の外観斜視図。
【図２】その停止角度調整機構の構成部材を展開して示す外観斜視図。
【図３】この発明の一実施例による停止角度調整機構の拡大断面図で、停止角度変更時の状態を示す。
【図４】この発明の一実施例による停止角度調整機構の拡大断面図で、ドアクローザ作動時の常態を示す。
【図５】この発明の一実施例による停止角度調整機構の底面図で、ドアクローザ作動時の常態を示す。
【符号の説明】
１  ブラケット
２  ブラケット軸
３  凹部
４  カム板
５  フォークアーム
６  外側セレーション
７  装着孔
８  内側セレーション
９  スリット
１０  上部カラー
１１  支承孔
１６  スリワリ
１７  作動筒
１９  切欠部
２２  制御レバー
２２ａ  摘み
２３  第１長孔
２４  第２長孔
２５  支持ピン
２６  作動ピン
【図１】
0003936077.tif 000002
【図２】
0003936077.tif 000003
【図３】
0003936077.tif 000004
【図４】
0003936077.tif 000005
【図５】
0003936077.tif 000006